(57)【特許請求の範囲】
【請求項１】
円筒状アーバー（２）と指示針（１）によって形成される針含有部品を有する腕時計本体用アセンブリーであって、
前記指示針（１）は、本体（１１）と、及び内径（Ｄｉ）を有する円筒状の筒かな（１０）とを有し、
前記筒かな（１０）は、直径（Ｄａｘ）の円筒状アーバー（２）に嵌め込まれるように意図されており、
前記筒かな（１０）は、その内径（Ｄｉ）上に１つの平坦部（１２）を有し、この平坦部（１２）は、前記円筒状アーバー（２）と連係するように意図されており、
前記１つの平坦部（１２）と前記筒かな（１０）の環状の壁の対向部分との間の距離は前記円筒状アーバー（２）の直径（Ｄａｘ）よりも小さく、前記１つの平坦部（１２）の両側において前記筒かな（１０）が前記本体（１１）方向に弾性変形して前記円筒状アーバー（２）と前記筒かな（１０）の壁との間の自由空間である「空き領域」Ａｖが縮小するようになっており、
かつ、前記円筒状アーバー（２）上に前記針（１）を固定し、さらに、
前記１つの平坦部（１２）は、前記針（１）の前記本体（１１）のすぐ近くに位置しているとともに該本体（１１）に対向している
ことを特徴とするアセンブリー。
【請求項２】
前記１つの平坦部（１２）は、前記筒かな（１０）の高さのすべて又は一部にわたって延在している
ことを特徴とする請求項１に記載のアセンブリー。
【請求項３】
前記１つの平坦部（１２）の近くの前記筒かなの厚み（ｅ）は、前記筒かな（１０）の厚み（ｅ）と同じである
ことを特徴とする請求項１〜２のいずれかに記載のアセンブリー。
【請求項４】
前記針（１）の前記筒かな（１０）と前記本体（１１）は、別個な要素である
ことを特徴とする請求項１〜３のいずれかに記載のアセンブリー。
【請求項５】
前記針（１）の前記筒かな（１０）と前記本体（１１）は、一体化された要素を形成している
ことを特徴とする請求項１〜４のいずれかに記載のアセンブリー。
【請求項６】
前記針（１）の前記筒かな（１０）と前記本体（１１）は、銅合金、金合金、鋼合金又はアルミニウム合金のような金属合金によって作られている
ことを特徴とする請求項１〜５のいずれかに記載のアセンブリー。
【請求項７】
請求項１〜６のいずれかに記載の円筒状アーバー（２）と指示針（１）によって形成される針含有部品を有するアセンブリーを有しムーブメントが装備されている腕時計本体であって、
前記円筒状アーバー（２）は、前記筒かな（１０）の内径（Ｄｉ）よりも実質的に小さい直径（Ｄａｘ）を有し、
これによって、前記針（１）を前記針含有部品に保持する
ことを特徴とする腕時計本体。
【発明の詳細な説明】
【技術分野】
【０００１】
本発明は、時計の分野に関し、より詳細には、腕時計の針に関する。
【背景技術】
【０００２】
一般的には、腕時計本体における計時針は、その回転アーバーに嵌め込みによって固定される。すなわち、この場合において筒かなである中空円筒が、その円筒の内径よりもわずかに大きい直径を有するアーバーに嵌められる。一般的に、この嵌め込み操作のために、用いられる材料の弾性及び可塑性の性質を利用する。このようにして、機械式時計において用いられているような伝統的な回転アーバーに、数μｍの直径の差がある中空円筒を嵌め込むことができる。
【０００３】
また、衝撃があったときに針を適切な位置に維持することができるように、針を固定する際には十分に大きい力を与える必要がある。伝統的な計時針に必要とされる力は、例えば、約１０Ｎである。
【０００４】
これらの課題を克服するために、回転アーバーと平行に延在しており針の反対側の端において開いているような一又は複数の溝がある筒かなを用いて、筒かなが弾性変形するような針を作ることが既に提案されている。このような固定の例は、具体的には、欧州特許ＥＰ１６５９４６０の文献に開示されている。
【０００５】
上記の計時針には、いくつかの短所がある。第１に、筒かなにある溝がこの筒かなを弱くする。このために、筒かなが過度に弱くならないように、非常に薄い溝を形成することを伴うことに留意すべきである。また、可能な限り精密な溝を得るためには、複雑な機械加工を行うことが必要となる。これは、所望の嵌め込み力を得るのに必要な幅及び長さを確保しつつ行われる。このことによって、製造コストと時間が大きくなってしまう。
【発明の概要】
【発明が解決しようとする課題】
【０００６】
本発明の特定の目的は、これらの既知の技術の様々な短所を克服することである。
【０００７】
具体的には、本発明の目的の１つは、針に嵌め込むときの許容性が大きく堅牢性が高い計時針を提供することである。
【０００８】
少なくとも１つの特定の実施形態における本発明の別の目的の１つは、針をアーバー上に保持するための十分な力を維持しつつ低い嵌め込み力しか必要としない計時針を提供することである。
【課題を解決するための手段】
【０００９】
これらの目的や以下の説明によって明白になる他の目的は、本発明によって、腕時計本体用の指示針を用いて達成される。この指示針は、円筒状アーバーに嵌め込まれるように意図されている内径Ｄｉを有する円筒状の筒かなを有する。
【００１０】
本発明によると、筒かなは、その内径の上に少なくとも１つの平坦部を有し、この平坦部は、前記少なくとも１つの平坦部の両側にて筒かなが弾性変形するように、円筒状アーバーと連係するように意図されており、これによって、前記円筒状アーバー上に前記筒かなを固定する。
【００１１】
本発明の別の好ましい変形実施形態によれば、以下の特徴を有する。
−  前記少なくとも１つの平坦部は、プレートのすぐ近くに位置する。
−  前記少なくとも１つの平坦部は、前記筒かなの高さのすべて又は一部にわたって延在している。
−  前記少なくとも１つの平坦部の厚みは、筒かなの厚みと同じである。
−  前記少なくとも１つの平坦部と前記筒かなの壁との間の内径は、前記円筒状アーバーの直径よりも小さい。
−  前記筒かなと前記プレートは、２つの別個な要素である。
−  前記筒かなと前記プレートは、一体化された要素を形成している。
−  前記筒かなと前記プレートは、銅合金、金合金、鋼合金又はアルミニウム合金のような金属合金によって作られる。
【００１２】
本発明は、さらに、ムーブメントを備える腕時計本体に関する。この腕時計本体は、円筒状アーバー及び本発明に係る指示針によって形成される針含有部品を有し、円筒状アーバーは、筒かなの内径よりも実質的に小さい直径を有し、これによって、針含有部品上に針を弾性保持する。
【００１３】
したがって、上記の様々な機能的及び構造的な特徴のおかげで、本発明によって、堅牢性が高くアーバーに嵌め込みやすい腕時計の針が得ることが可能になる。
【００１４】
添付図面を参照しながら、単なる例（これに限定されない）として提供される本発明の特定の実施形態についての以下の説明を読むことで、本発明のさらなる特徴及び利点が明白になるであろう。
【図面の簡単な説明】
【００１５】
【図１】本発明に係る指示針を備える腕時計本体を示している。
【図２】本発明に係る指示針の断面図を示している。
【図３】円筒状アーバーに嵌め込まれる前の本発明に係る指示針の平面図を示している。
【図４】円筒状アーバーに嵌め込まれた本発明に係る指示針の平面図を示している。
【発明を実施するための形態】
【００１６】
以下、図１、２、３及び４を一緒に参照しながら、一実施形態に係る指示針について説明する。
【００１７】
上記のように、本発明の一般的原理は、腕時計本体のために指示針１を使用することに基づいている。この指示針１は、伝統的に、本体１１と、及び円筒状アーバー２に嵌め込まれるように意図された筒かな１０とを有し、この筒かな１０は、円筒状アーバー２の直径Ｄａｘよりも大きい内径Ｄｉを有する。
【００１８】
本体１１と筒かな１０は、スタンピング、チップ除去機械加工、レーザー加工、パンチングによるブランキング、又は当業者に知られている他の機械加工によって、同等に、形成することができる。
【００１９】
本発明の第１の実施形態によると、針１の筒かな１０と本体１１は、２つの別個な要素であり、針が組み立てられるときに、筒かなが本体１１に付加される。
【００２０】
本発明の第２の実施形態によると、筒かな１０と本体１１は、一体化された要素を形成する。
【００２１】
針１の本体１１と筒かな１０は、金属合金によって作ることができる。例えば、黄銅、青銅及びＰｆｉｎｏｄａｌのような銅合金、金合金、アルミニウム合金又は鋼合金である。筒かな１０が針１の本体１１に付加されるときには、明らかに、本体１１と筒かな１０を異なる合金によって作ることができる。例えば、本体１１を金合金によって作ることができ、筒かな１０を鋼合金によって作ることができる。
【００２２】
明らかに、針を製造するために当業者に知られている他の種類の合金のいずれも考慮に入れることができる。
【００２３】
本発明によると、筒かな１０は、円筒状であり、その内径Ｄｉに少なくとも１つの平坦部１２が設けられている。この平坦部１２は、平坦部１２の両側において筒かな１０を弾性変形させるように円筒状アーバー２と連係して、円筒状アーバー２に対して筒かな１０を適切な位置に維持するように意図されている。
【００２４】
好ましくは、平坦部１２は、針１の中心線Ａｍ上の針１の本体１１のすぐ近くの位置に位置している。このような平坦部１２の位置によって、特に、針１の優れた美的外観を得ることが可能になる。平坦部１２は、明らかに、筒かな１０の内径上のいかなる位置にも位置することができる。
【００２５】
図示していない本発明の別の実施形態の１つによると、筒かなは、その内径上に、複数の平坦部を有することができる。
【００２６】
簡潔にしてわかりやすくするために、以下において説明する実施形態は、内径上に単一の平坦部を有する筒かなについてのものである。
【００２７】
本発明によると、平坦部１２は、筒かな１０の高さのすべて又は一部にわたって延在している。図２に示すように、平坦部１２は、筒かな１０の高さ全体にわたって延在している。
【００２８】
図３に示す実施形態（これに限定されない）によると、平坦部１２の厚みｅは、優れた美的外観を得るために、筒かな１０の厚みと同じである。しかし、平坦部の厚みｅは、必要条件とフィージビリティに応じて変えることができ、平坦部１２の厚みｅは、筒かな１０の厚みよりも小さくてもよく、また、大きくてもよい。
【００２９】
図３に示すように、平坦部１２と、平坦部１２の反対側の壁との間の距離は、干渉させるために、円筒状アーバー２の直径Ｄａｘよりも小さい。
【００３０】
図３に示すように、筒かな１０には、本体１１の近くに、筒かな１０の内径Ｄｉを局所的に小さくしている平坦部１２がある。これによって、円筒状アーバー２の直径Ｄａｘは、平坦部１２の近くにおいて筒かな１０の直径Ｄｉよりも大きい。
【００３１】
このようにして、平坦部１２と、平坦部１２の反対側の筒かな１０の壁との間の距離は、円筒状アーバーの直径Ｄａｘよりも小さく、このことによって、１０μｍ〜１６μｍの干渉が発生する。
【００３２】
この特徴のおかげで、平坦部１２によって、筒かな１０が円筒状アーバー２を弾性的につかむ。
【００３３】
実際に、筒かな１０が円筒状アーバー２に嵌め込まれるときに、円筒状アーバー２は、平坦部１２に力を与えて、その平坦部１２をその初期位置から動かす。この結果、平坦部１２の両側にある筒かな１０の壁が変形する。このように、筒かな１０は、円筒状アーバー上に針１を保持するための満足する力を維持しつつ、弱い嵌め込み力しか必要とせずに、円筒状アーバー２の寸法構成に適合して円筒状アーバー２上に針１を維持する。ここで、「満足」という用語は、衝撃があったときに針１を適切な位置に維持するために十分な保持力があり、また、針１の位置を調整することができるほどに十分であることを意味するように理解することができる。また、このような針においては、筒かな１０を弱くしてしまいがちな溝が筒かな１０にまったくないので、筒かな１０を針に嵌め込むときの許容性に関しての堅牢性が高い。
【００３４】
発明者の考察によれば、このような本発明に係る針１には、１０Ｎ〜２５Ｎの嵌め込み力しか必要ではなく、これは、嵌め込み力が１μｍの干渉に対して１０Ｎであるような従来技術と比べると低い力しか必要ではない。
【００３５】
図３に示すように、平坦部１２と円筒状アーバー２の間の交差領域は、「干渉領域」Ａｉと呼ばれる領域を表しており、円筒状アーバー２と筒かな１０の壁の間の自由空間は、「空き領域」Ａｖと呼ばれる領域を示している。干渉領域Ａｉは、常に０よりも大きく、針１の嵌め込み及び／又は保持のために必要な力が、筒かな１０の形状の剛性に応じて達成されるように設計される。空き領域Ａｖは可変であり、図４に示すように円筒状アーバー２が筒かな１０に挿入されるときに、縮小する傾向がある。
【００３６】
したがって、筒かな１０の変形が弾性範囲内に留まるためには、空き領域Ａｖから干渉領域Ａｉを引いた値が、０以上であることを確実にすることが重要である。
【００３７】
図１に示すように、本発明に係る指示針は、腕時計に装備され、この腕時計は、特に、表盤４と重なり合っているムーブメントが装備された腕時計ケース３を有しており、この表盤４を通るように針含有部品が円筒状アーバー２によって形成されており、指示針１は、円筒状アーバー２上に弾性保持されている。
【００３８】
このような本発明の様々な態様のおかげで、堅牢性が高くマウントが容易な腕時計の針を提供することができ、これは、アーバー上への保持も優れている。
【００３９】
もちろん、本発明は、説明した例に制限されず、当業者にとって明白な様々な変形実施形態が可能であり、変更を行うことができる。
【符号の説明】
【００４０】
１  針
１０  筒かな
１１  本体
１２  平坦部
２  円筒状アーバー
３  腕時計ケース
４  表盤
Ｄｉ  筒かなの内径
Ｄａｘ  アーバーの直径
Ａｖ  空き領域
Ａｉ  干渉領域
Ａｍ  中心線
ｅ  平坦部の厚み
【図１】
0006387454.tif 000002
【図２】
0006387454.tif 000003
【図３】
0006387454.tif 000004
【図４】
0006387454.tif 000005